(57)【要約】【課題】４チャネルが使用可能なＰＨＳにおいて、早期に待ち受け状態になることが可能なＰＨＳ端末を提供する。【解決手段】１２ＣＨ、１８ＣＨ、３５ＣＨおよび３７ＣＨのすべての制御チャネルの電界強度を測定する電界測定部を備え、電界測定部による測定結果に基づいて、所定強度以上の電界強度を有する制御チャネルに対して、電界強度が高い順に検索を行う。【選択図】図２
2020072419.tif 000002
【特許請求の範囲】
【請求項１】
複数の制御チャネルのなかから待ち受け可能な制御チャネルをサーチする機能を備えたＰＨＳ端末であって、
すべての前記制御チャネルの電界強度を測定する電界測定手段を備え、
前記電界測定手段による測定結果に基づいて、所定強度以上の電界強度を有する前記制御チャネルである検索対象制御チャネルに対して、電界強度が高い順に検索を行う、
ことを特徴とするＰＨＳ端末。
【請求項２】
前記検索対象制御チャネルに対する検索を所定回数行っても待ち受け状態にならない場合には、前記電界測定手段で再度測定を行いその測定結果に基づいて、前記検索対象制御チャネルに対して電界強度が高い順に検索を行う、
ことを特徴とする請求項１に記載のＰＨＳ端末。
【請求項３】
前記検索対象制御チャネルが前記電界測定手段で１つも測定されない場合には、所定の測定間隔時間を待って前記電界測定手段で再度測定を行う、
ことを特徴とする請求項１または２のいずれか１項に記載のＰＨＳ端末。
【発明の詳細な説明】
【技術分野】
【０００１】
本発明は、ＰＨＳ（Ｐｅｒｓｏｎａｌ  Ｈａｎｄｙ−ｐｈｏｎｅ  Ｓｙｓｔｅｍ）端末に関し、特に、制御チャネルをサーチする機能を備えたＰＨＳ端末に関する。
【背景技術】
【０００２】
従来、ＰＨＳにおけるオフィス（ＰＢＸ、構内交換機）のＢＳ（Ｂａｓｅ  Ｓｔａｔｉｏｎ、基地局）の制御チャネルは、例えば１２ＣＨと１８ＣＨの２チャネルが使用可能となっており、ＢＳにおいてＰＨＳ端末が内線番号を登録すると、そのＢＳの制御チャネルを登録・記憶する。そして、オフィスのＢＳをサーチするためにＰＨＳ端末は、まず、記憶された制御チャネルのうち一方の制御チャネル（例えば、１２ＣＨ）をサーチする。その結果、待ち受けできるオフィスのＢＳがない場合には、所定時間（例えば、１０秒）待って、他方の制御チャネル（例えば、１８ＣＨ）をサーチする、という手順を採っていた。
【０００３】
また、接続装置からの無線による制御信号に対して電波干渉が発生し、同期がとれなくなった場合に、再同期を効率的に行うというＰＨＳ無線移動局が知られている（例えば、特許文献１参照。）。このＰＨＳ無線移動局は、接続装置（ＢＳ）から２つの制御周波数による論理制御チャネル（ＬＣＣＨ）の送信タイミングの時間差を保持する記憶部を備え、一方の制御周波数による論理制御チャネルに同期している状態で、このチャネル同期が電波干渉により異常となった場合、記憶部の情報を基に、他方の制御周波数の論理制御チャネルに再同期するものである。
【先行技術文献】
【特許文献】
【０００４】
【特許文献１】特開２０００−７８６５９号公報
【発明の概要】
【発明が解決しようとする課題】
【０００５】
ところで、近年の移動通信トラフィックの増加に伴い、ＰＨＳで使用可能な制御チャネルが２チャネルから４チャネルに増やされることになった。このため、４チャネルのなかから適正な制御チャネルをサーチして待ち受けできるようにする必要があるが、従来のサーチ方法や特許文献１に記載のＰＨＳ無線移動局では、登録された２チャネル（例えば、１２ＣＨと１８ＣＨ）のみをサーチできるだけで、他の２チャネル（例えば、３５ＣＨと３７ＣＨ）をサーチすることができない。
【０００６】
一方、使用可能な制御チャネルが２チャネルから４チャネルに増えたことから、従来の２チャネルの場合に比べてサーチに長時間を要することが予測されるが、できる限り早く待ち受け状態にすることが望まれる。
【０００７】
そこで本発明は、４チャネルが使用可能なＰＨＳにおいて、早期に待ち受け状態（通信可能状態）になることが可能なＰＨＳ端末を提供することを目的とする。
【課題を解決するための手段】
【０００８】
上記課題を解決するために、請求項１に記載の発明は、複数の制御チャネルのなかから待ち受け可能な制御チャネルをサーチする機能を備えたＰＨＳ端末であって、すべての前記制御チャネルの電界強度を測定する電界測定手段を備え、前記電界測定手段による測定結果に基づいて、所定強度以上の電界強度を有する前記制御チャネルである検索対象制御チャネルに対して、電界強度が高い順に検索を行う、ことを特徴とする。
【０００９】
請求項２に記載の発明は、請求項１に記載のＰＨＳ端末において、前記検索対象制御チャネルに対する検索を所定回数行っても待ち受け状態にならない場合には、前記電界測定手段で再度測定を行いその測定結果に基づいて、前記検索対象制御チャネルに対して電界強度が高い順に検索を行う、ことを特徴とする。
【００１０】
請求項３に記載の発明は、請求項１または２に記載のＰＨＳ端末において、前記検索対象制御チャネルが前記電界測定手段で１つも測定されない場合には、所定の測定間隔時間を待って前記電界測定手段で再度測定を行う、ことを特徴とする。
【発明の効果】
【００１１】
請求項１に記載の発明によれば、全制御チャネルの電界強度を測定し、所定強度以上の電界強度を有する検索対象制御チャネルに対して、電界強度が高い順に検索を行うため、４チャネルが使用可能なＰＨＳにおいても、早期に待ち受け状態になることが可能となる。すなわち、ＰＨＳ端末に登録されていない制御チャネルを含めた全制御チャネルの電界強度を測定し、電界強度が高い検索対象制御チャネルから順に（待ち受け状態になる可能性が高い順に）検索を行うため、登録されていない制御チャネルであっても早期に待ち受け状態にすることが可能となる。また、所定強度以上の電界強度を有する検索対象制御チャネルに対してのみ検索を行い、電界強度が低く待ち受けできないと考えられる制御チャネルに対しては検索を行わないため、無駄な検索を行わずに早期に待ち受け状態にすることが可能となるとともに、電池の消費、劣化を抑制することが可能となる。
【００１２】
請求項２に記載の発明によれば、検索対象制御チャネルに対する検索を所定回数行っても待ち受け状態にならない場合には、全制御チャネルの電界強度を再度測定し、その測定結果に基づいて、検索対象制御チャネルに対して電界強度が高い順に検索を行うため、より確実に待ち受け状態にすることが可能となる。すなわち、検索対象制御チャネルに対する検索を所定回数行っても待ち受け状態にならない場合には、ＰＨＳ端末が全制御チャネルに対して完全に圏外に位置する等と考えられる。このため、再び圏内に位置するまで繰り返して（定期的に）、再度電界強度を測定して検索対象制御チャネルを検索することで、より確実に待ち受け状態にすることが可能となる。
【００１３】
請求項３に記載の発明によれば、検索対象制御チャネルが電界測定手段で１つも測定されない場合には、所定の測定間隔時間を待って全制御チャネルの電界強度を再度測定するため、より確実に待ち受け状態にすることが可能となる。すなわち、所定強度以上の電界強度を有する制御チャネルがない場合には、ＰＨＳ端末が全制御チャネルに対して完全に圏外に位置する等と考えられる。このため、再び圏内に位置するまで繰り返して（定期的に）、再度電界強度を測定して検索対象制御チャネルを検索することで、より確実に待ち受け状態にすることが可能となる。
【図面の簡単な説明】
【００１４】
【図１】この発明の実施の形態に係るＰＨＳ端末を示す概略構成ブロック図である。
【図２】図１のＰＨＳ端末の制御チャネルのサーチ方法を示すフローチャートである。
【図３】図１のＰＨＳ端末の制御チャネルのサーチ方法を示す第１の説明図である。
【図４】図３の続きのサーチ方法を示す第２の説明図である。
【図５】図１のＰＨＳ端末の制御チャネルのサーチ方法を示す第３の説明図である。
【図６】図１のＰＨＳ端末がエリアＡを出てエリアＢに移動したり、エリアＢで電源オンしたりする状況を示す概念図である。
【図７】この発明の実施の形態において、３つの基地局を有する場合の制御チャネルの組み合わせ例を示す図である。
【発明を実施するための形態】
【００１５】
以下、この発明を図示の実施の形態に基づいて説明する。
【００１６】
図１〜図６は、この発明の実施の形態を示し、図１は、この実施の形態に係るＰＨＳ端末１を示す概略構成ブロック図である。このＰＨＳ端末１は、複数の制御チャネルのなかから待ち受け可能な制御チャネルをサーチする方法・機能が従来のＰＨＳ端末と異なり、その他の構成については従来のＰＨＳ端末と同等であるため、その詳説を省略するが、概略次のような構成となっている。すなわち、マイクからの音声等が信号処理部２で信号処理されて変調部３１で変調され、送信部３２およびアンテナ５を介して外部に送出される。また、アンテナ５および受信部４２で受信された外部からの音声等が、復調部４１で復調されて信号処理部２で信号処理され、スピーカから出力される。一方、中央処理部７でチャネル切替部６が制御されて、送信部３２および受信部４２で使用される制御チャネルが切り替えられる。
【００１７】
さらに、このＰＨＳ端末１は、すべての制御チャネルの電界強度を測定する電界測定部（電界測定手段）８を備える。すなわち、電界測定部８は、後述する４つの制御チャネル１２ＣＨ、１８ＣＨ、３５ＣＨ、３７ＣＨのすべてに対して、各制御チャネルの電界強度を測定する計測部である。ここで、ＰＨＳ端末１が各制御チャネルの基地局に近いほど、その制御チャネルの電界強度が高く測定される。
【００１８】
次に、このＰＨＳ端末１による制御チャネルのサーチ方法・機能、具体的には、オフィスで複数の基地局が運用されている環境下で待ち受けできる基地局をサーチする方法について説明する。ここで、この実施の形態では、図６に示すように、基地局Ａ（ＢＳ（Ａ））で使用可能な制御チャネルが１２ＣＨ（第１の制御チャネル）と１８ＣＨ（第２の制御チャネル）で、エリアＡ内が圏内で待ち受け可能（通信可能）であるとする。同様に、基地局Ｂ（ＢＳ（Ｂ））で使用可能な制御チャネルが３５ＣＨ（第３の制御チャネル）と３７ＣＨ（第４の制御チャネル）で、エリアＢ内が圏内で待ち受け可能（通信可能）であるとする。
【００１９】
また、内線のＰＨＳ端末１には２つの制御チャネルを登録可能で、この実施の形態では、ＰＨＳ端末１は、基地局Ａで内線番号が登録され、基地局Ａの制御チャネルである１２ＣＨと１８ＣＨが登録されているものとする。そして、例えば、ＰＨＳ端末１を所持、使用しているユーザが、エリアＡを出てエリアＢに移動したり、エリアＢで電源をオンしたりした場合に、次のようにして制御チャネルをサーチして待ち受け可能な状態にする。なお、このサーチ方法・機能は、電界測定部８による測定結果に基づいて、チャネル切替部６と中央処理部７とで行われる。
【００２０】
まず、図２、図３に示すように、電界測定部８によって４つの制御チャネルのすべてに対して、各制御チャネルの電界強度を測定する（ステップＳ１）。そして、所定強度以上の電界強度を有する制御チャネルつまり検索対象制御チャネルがない場合（ステップＳ２で「Ｎ」の場合）には、所定の測定間隔時間を待って（ステップＳ３）、再度各制御チャネルの電界強度を測定する（ステップＳ１）。ここで、所定の測定間隔時間は、ＰＨＳ端末１が全制御チャネルつまりエリアＡ、Ｂに対して完全に圏外に位置した場合でも、その後、再び圏内に位置するのを待ってサーチするのに適し、かつ、電池の消費、劣化を抑制可能な時間（例えば、１０秒）に設定されている。また、所定強度は、待ち受け状態になることが可能（通信可能）な最低限の電界強度に設定されている。
【００２１】
一方、検索対象制御チャネルがある場合（ステップＳ２で「Ｙ」の場合）には、電界強度が高い順に検索対象制御チャネルを並べ替える（ステップＳ４）。この実施の形態では、例えば、４つの全制御チャネルの電界強度が所定強度以上で、電界強度が高い順が、３５ＣＨ、３７ＣＨ、１２ＣＨ、１８ＣＨであるとする。次に、これらの検索対象制御チャネルに対して、電界強度が高い順に検索を行う。
【００２２】
すなわち、まず、電界強度が最も高い３５ＣＨを検索する（ステップＳ５）。この際、図３に示すように、ＰＨＳ端末１は、最初に「ホーム検索」を実行して、次に「ローミング検索」を実行し、エリアＢ内では「ローミング検索」のタイミングで待ち受け可能となる。
【００２３】
次に、図２に示すように、待ち受け状態になった場合（ステップＳ６で「Ｙ」の場合）には処理を終了するが、待ち受け状態にならない場合（ステップＳ６で「Ｎ」の場合）、すべての検索対象制御チャネルを検索する検索手順を所定回数行ったか否かを確認する。そして、所定回数行った場合（ステップＳ７で「Ｙ」の場合）には、ステップＳ１に戻って再度各制御チャネルの電界強度を測定する。このように、検索対象制御チャネルに対する検索を所定回数行っても待ち受け状態にならない場合には、電界測定部８で再度測定を行いその測定結果に基づいて、検索対象制御チャネルに対して電界強度が高い順に検索を行う。ここで、所定回数は、検索対象制御チャネルの検索を適正に行え、かつ、無駄な検索を繰り返さないような回数に設定され、この実施の形態では、後述するように２回に設定されている。
【００２４】
一方、検索手順を所定回数行っていない場合（ステップＳ７で「Ｎ」の場合）には、第１の待ち時間後に、次に電界強度が高い３７ＣＨを検索する（ステップＳ８）。この際、図３に示すように、エリアＢ内では「ローミング検索」のタイミングで待ち受け可能となり、また、第１の待ち時間は２秒に設定されている。
【００２５】
同様にして、待ち受け状態にならない場合、図３に示すように、第１の待ち時間後に、次に電界強度が高い１２ＣＨを検索する。さらに、待ち受け状態にならない場合、第１の待ち時間後に、次に電界強度が高い１８ＣＨを検索する。この際、エリアＡ内では「ホーム検索」のタイミングで待ち受け可能となり、また、第１の待ち時間後は２秒に設定されている。
【００２６】
そして、待ち受け状態にならない場合、このようなすべての検索対象制御チャネルを検索する検索手順を、上記の所定回数（２回）だけ繰り返す。その際、２回目以降の検索手順では、図４に示すように、各検索対象制御チャネルを第２の待ち時間待って順次検索し、第２の待ち時間は１０秒に設定されている。このように、検索手順を開始する当初（1回目の検索手順）の第１の待ち時間後が、その後の検索手順（２回目の検索手順）における第２の待ち時間後よりも短く設定されている。ここで、第１の待ち時間は、エリアＡ、Ｂ間での移動等を行っても早期に待ち受け状態になることが可能な比較的短い時間に設定され、第２の待ち時間は、外出して完全に圏外になった場合などに電池の消費、劣化を抑制可能な比較的長い時間に設定される。
【００２７】
ところで、上記では、４つの全制御チャネルの電界強度が所定強度以上の場合について説明したが、一部の制御チャネルが検索対象制御チャネルの場合にも、同様に処理する。例えば、図５に示すように、３５ＣＨと３７ＣＨのみが検索対象制御チャネルの場合、まず、電界強度が最も高い３５ＣＨを検索し（ステップＳ５）、待ち受け状態にならない場合、第１の待ち時間（２秒）後に、次に電界強度が高い３７ＣＨを検索する。そして、待ち受け状態にならない場合、このような検索手順（３５ＣＨと３７ＣＨの検索）をもう１回繰り返す。この際、３５ＣＨの検索後第２の待ち時間（１０秒）だけ待って、３７ＣＨを検索する。それでも待ち受け状態にならない場合、電界測定部８で４つの各制御チャネルの電界強度を再度測定して、その測定結果に基づく検索対象制御チャネル（２チャネルとは限らない）に対する検索手順を２回行う、という処理を繰り返す。
【００２８】
このようなＰＨＳ端末１および制御チャネルのサーチ方法によれば、全制御チャネルの電界強度を測定し、所定強度以上の電界強度を有する検索対象制御チャネルに対して、電界強度が高い順に検索を行うため、４チャネルが使用可能なＰＨＳにおいても、早期に待ち受け状態になることが可能となる。すなわち、ＰＨＳ端末１に登録されていない制御チャネル３５ＣＨ、３７ＣＨを含めた全制御チャネルの電界強度を測定し、電界強度が高い検索対象制御チャネルから順に（待ち受け状態になる可能性が高い順に）検索を行うため、登録されていない制御チャネル３５ＣＨ、３７ＣＨであっても早期に待ち受け状態にすることが可能となる。また、図５の例で説明したように、所定強度以上の電界強度を有する検索対象制御チャネルに対してのみ検索を行い、電界強度が低く待ち受けできないと考えられる制御チャネルに対しては検索を行わないため、無駄な検索を行わずに早期に待ち受け状態にすることが可能となるとともに、電池の消費、劣化を抑制することが可能となる。
【００２９】
このようにして、４チャネルが使用可能なＰＨＳにおいても早期に待ち受け状態になることが可能なため、例えば、図６に示すように、ＰＨＳ端末１を所持、使用しているユーザが、エリアＡを出てエリアＢに移動したり（別の事務所に行ったり）、エリアＢで電源をオンしたりした場合であっても、すぐに圏内状態にすることが可能となる。
【００３０】
また、検索対象制御チャネルに対する検索（検索手順）を所定回数行っても待ち受け状態にならない場合には、全制御チャネルの電界強度を再度測定し、その測定結果に基づいて、再度検索対象制御チャネルに対して電界強度が高い順に検索（再度検索手順）を行うため、より確実に待ち受け状態にすることが可能となる。すなわち、検索対象制御チャネルに対する検索を所定回数行っても待ち受け状態にならない場合には、ＰＨＳ端末１がエリアＡ、Ｂから完全に圏外に位置する等と考えられる。このため、再び圏内に位置するまで繰り返して（定期的に）、再度電界強度を測定して検索対象制御チャネルを検索することで、より確実に待ち受け状態にすることが可能となる。
【００３１】
同様に、検索対象制御チャネルが電界測定部８で１つも測定されない場合には、所定の測定間隔時間を待って全制御チャネルの電界強度を再度測定するため、より確実に待ち受け状態にすることが可能となる。すなわち、所定強度以上の電界強度を有する制御チャネルがない場合には、ＰＨＳ端末１がエリアＡ、Ｂから完全に圏外に位置する等と考えられる。このため、再び圏内に位置するまで繰り返して（定期的に）、再度電界強度を測定して検索対象制御チャネルを検索することで、より確実に待ち受け状態にすることが可能となる。
【００３２】
また、検索手順を開始する当初における第１の待ち時間（２秒）が、その後の検索手順における第２の待ち時間（１０秒）よりも短く設定されている。すなわち、検索対象制御チャネルに対する１回目の検索では短い時間だけ待って順次検索を行うため、早期に待ち受け状態にすることが可能となる。一方、２回目以降の検索では長い時間待って順次検索を行うため、例えば、短い時間でスリープモードと起動を繰り返す必要がなくなり、電池の消費、劣化を抑制することが可能となる。
【００３３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、１回目の検索手順で検索する際の待ち時間を２秒とし、２回目の検索手順で検索する際の待ち時間を１０秒としているが、その他の時間に設定してもよい。例えば、１回目と２回目の検索手順で検索する際の待ち時間を２秒とし、３回目以降の検索手順で検索する際の待ち時間を１０秒としてもよい。また、検索手順の途中、例えば、図３、図４の例における２回目の検索手順の３７ＣＨの検索以降を１０秒にしてもよい。
【００３４】
また、基地局Ａで使用可能な制御チャネルが１２ＣＨと１８ＣＨで、基地局Ｂで使用可能な制御チャネルが３５ＣＨと３７ＣＨの場合について説明したが、各基地局で使用可能な制御チャネルの組み合わせはどのようなものでもよい。例えば、基地局Ａで使用可能な制御チャネルが１２ＣＨと３５ＣＨで、基地局Ｂで使用可能な制御チャネルが１８ＣＨと３７であってもよい。
【００３５】
さらに、２つの基地局Ａ、ＢおよびエリアＡ、Ｂが存在する場合について説明したが、３つ以上の基地局およびエリアが存在する場合でも同様にして、制御チャネルをサーチすることができる。例えば、図７に示すように、基地局Ａ（ＢＳ（Ａ））で使用可能な制御チャネルが１２ＣＨと１８ＣＨでエリアＡが圏内で、基地局Ｂ（ＢＳ（Ｂ））で使用可能な制御チャネルが３５ＣＨと３７ＣＨでエリアＢが圏内で、基地局Ｃ（ＢＳ（Ｃ））で使用可能な制御チャネルが１２ＣＨと３５ＣＨでエリアＣが圏内であるとする。この場合でも、上記と同様にして、１２ＣＨ、１８ＣＨ、３５ＣＨおよび３７ＣＨの４つの制御チャネルの電界強度を測定し、所定強度以上の電界強度を有する制御チャネルに対して、電界強度が高い順に検索を行うことで、早期に待ち受け状態にすることが可能となる。
【００３６】
１        ＰＨＳ端末
２        信号処理部
３１      変調部
３２      送信部
４１      復調部
４２      受信部
５        アンテナ
６        チャネル切替部
７        中央処理部
８        電界測定部（電界測定手段）
１２ＣＨ、１８ＣＨ、３５ＣＨ、３７ＣＨ  制御チャネル
ＢＳ（Ａ）  基地局Ａ
ＢＳ（Ｂ）  基地局Ｂ
ＢＳ（Ｃ）  基地局Ｃ
【図１】
2020072419.tif 000003
【図２】
2020072419.tif 000004
【図３】
2020072419.tif 000005
【図４】
2020072419.tif 000006
【図５】
2020072419.tif 000007
【図６】
2020072419.tif 000008
【図７】
2020072419.tif 000009